(57)【要約】      （修正有）【課題】各種粉末のケース等に備えられた回転軸の軸受部に設置して、回転軸の回転時に粉末が回転軸と軸受部の間に侵入してケース等の外部にもれ出し、或は、回転を阻害するのを防止するための粉末シール片を提供する。【解決手段】粉末シール片は、回転軸の周面が接触する面に綾織布を備えたものであり、回転する回転軸の周面に綾織布面が密接して粉末の侵入をシールすると共に、綾織布面に複数本平行して現れた凸条状の綾線部分が回転軸の周面に強く密接して粉末の侵入を複数段階にシールする。【選択図】図１
0003168494.tif 000002
【実用新案登録請求の範囲】
【請求項１】
各種粉末のケース・容器・槽に備えた回転軸の軸受部の内面に固着し、回転する回転軸の周面に密接して粉末をシールするのに用いる片状の粉末シール片であり、
前記粉末シール片の回転軸の周面が接触する面を綾織りの綾織布で備えたものであり、
前記綾織布の面に複数本平行した凸条として現れた綾線の方向を回転軸線に対し直角若しくは設定角度傾斜して備えたものであり、
回転する回転軸の周面に綾織布面が密接して粉末の侵入をシールする共に前記綾織布面に複数本平行して現れた凸条状の綾線部分が回転軸の周面に強く密接して粉末の侵入を複数段階にシールするように備えたことを特徴とする、
回転軸の粉末シール片。
【請求項２】
前記綾織布は、織物の経糸・緯糸の「浮き・沈み」の「浮き」が綾線を形成し、前記綾線が生地の表裏両面若しくは片面に複数本平行した凸条として現れた綾織りの織物であって、綾線が生地の表裏両面に現れた両面斜文、生地の片面に現れた片面斜文を含むものであり、また、綾織りの種類は綾織りに属する織り方のものをすべて含むものであり、また、糸の材質は天然繊維、合成繊維を限定しないものであり、また、糸として同特性のものを用いて同特性の綾線を現したもの、若しくは、糸として異なる特性のものを用いて目的とする特性を備えた綾線を現したものを含むものであり、また、繊維・糸の太さを限定しないものである、
請求項１の回転軸の粉末シール片。
【請求項３】
前記綾織布は、摩擦抵抗が極めて少なく、弾力性、耐久性に秀れた特性を有するポリテトラフルオロエチレン繊維の糸で織成したもの、若しくは、前記繊維の糸と他繊維の糸で織成したものが好適であり、その場合、綾線をポリテトラフルオロエチレン繊維の糸で現すようにしたものが好適であり、若しくは、ポリテトラフルオロエチレン繊維と多種繊維の合繊で織成したもの、が好適である、
請求項１の綾織布を用いた回転軸の粉末シール片。
【請求項４】
前記粉末シール片は、前記綾織布をホルダーの一方面に接着したものであり、前記ホルダーは片状で発泡プラスチックその他の柔軟性、クッション性を備えたものであり、また、粉末シール片１と平面形状が一致するものであり、前記片状の形状及び寸法は、軸受部の内面の設置場所に見合った形状及び寸法であれば任意である、
請求項１の回転軸の粉末シール片。
【考案の詳細な説明】
【技術分野】
【０００１】本考案は、合成素材若しくは天然素材の各種粉末用の、構造、形状等任意のケース・容器・槽等に回転軸が備えられている場合に、その回転軸の軸受部の内面に設置して、回転軸の回転時に、粉末が回転軸と軸受部の間に侵入してケース・容器・槽等の外部にもれ出すのを防止し、或は、回転軸と軸受部の間に侵入して回転を阻害するのを防止するために用いる片状の粉末シール片に係り、
前記粉末シール片の回転軸の周面が接触する面を綾織りの綾織布で備えたものであり、
回転する回転軸の周面に綾織布面が密接して粉末の侵入をシールする共に前記綾織布面に複数本平行して現れた凸条状の綾線部分が回転軸の周面に強く密接して粉末の侵入を複数段階にシールするように備えたことを特徴とする、回転軸の粉末シール片に係るものである。
本考案は、粉末の種類を限定しないが、例えば工業製品の各種粉末、複写機、ファックス、プリンター等用の粉末（トナー、磁気トナー等）等のケース・容器・槽等の回転軸の軸受部用の粉末シール片として適合するものである。
【背景技術】
【０００２】従来、合成素材若しくは天然素材の各種粉末用の、構造、形状等任意のケース・容器・槽等に回転軸が備えられている場合に、その回転軸の軸受部の内面に密接設置して、回転軸の回転時に、粉末が回転軸と軸受部の間に侵入してケース・容器・槽等の外部もれ出すのを防止し、或は、回転軸と軸受部の間に侵入して回転を阻害するのを防止するために、短冊片状等の粉末シール片が使用されている。【０００３】例えば、特許文献１（実用新案登録第３１０５８３２号）に係る回転軸の粉末シール片は、複写機、ファックス、プリンター等用のトナー（粉末）ケースの回転軸の軸受部に取付使用するものであり、弾力性があって摩擦抵抗が極めて少なく、耐久性に秀れ、高密度に絡合した繊維が微粉末の侵入を有効に防御する作用を行う等の秀れた特性を兼備したポリテトラフルオロエチレン製の短冊状のフェルト片（図示例）若しくはフイルム片を発泡プラスチック製のホルダー１０２に接着した粉末シール片１０１を設け、それを回転軸の軸受部に両面粘着テープ１０３の剥離紙１０４を剥がし粘着して使用するものである。（図８参照）【０００４】前記従来例の回転軸の粉末シール片１０１はポリテトラフルオロエチレンの特性と相俟って優れたシール効果を発揮するものであるが高使用頻度、長期間使用等によって、徐々にシール性能が劣化する課題があった。
その理由の１として挙げられるのが、前記粉末シール片１０１においてトナーをシールするための構成部分が、回転軸の周面に密接した粉末シール片密接面１０５だけであることにあり、前記密接面１０５は片としての設定幅Ｗを保有するとはいえ、いわば、その１段階だけであるので、高使用頻度、長期間使用等によって、前記密接面間に微細トナーが徐々に侵入して次第に回転を阻害し、或は、トナーがケース外にもれ出すことを有効に防ぐことが困難な課題があった。
【先行技術文献】
【特許文献】
【０００５】
【特許文献１】実用新案登録第３１０５８３２号
【考案の概要】
【考案が解決しようとする課題】
【０００６】従来の回転軸の粉末シール片は、トナーをシールするための構成部分が、回転軸の周面に密着した粉末シール片密着面だけであり、いわば、１段階だけのシール作用・効果に依っていたため、高使用頻度、長期間使用等によって、シール性能が劣化し、軸受部における回転軸の周面と粉末シール片との密着面間にトナーが徐々に侵入して次第に回転を阻害し、或は、トナーがケース外にもれ出すことを防げない課題があったが、【０００７】本考案は、回転軸の粉末シール片の回転軸の周面が接触する面を綾織りの綾織布で備え、前記綾織布の面に複数本平行した凸条として現れた綾線の方向を回転軸線に対し直角若しくは設定角度傾斜して備えることによって、従来のように１段階だけでなく、前記綾織布面に複数本平行して現れた凸条状の綾線部分が回転軸の周面に強く密接して粉末の侵入を複数段階にシールするように備えることよって解決したものである。
【課題を解決するための手段】
【０００８】請求項１の考案は、各種粉末のケース・容器・槽に備えた回転軸の軸受部の内面に固着し、回転する回転軸の周面に密接して粉末をシールするのに用いる片状の粉末シール片であり、
前記粉末シール片の回転軸の周面が接触する面を綾織りの綾織布で備えたものであり、
前記綾織布の面に複数本平行した凸条として現れた綾線の方向を回転軸線に対し直角若しくは設定角度傾斜して備えたものであり、
回転する回転軸の周面に綾織布面が密接して粉末の侵入をシールする共に前記綾織布面に複数本平行して現れた凸条状の綾線部分が回転軸の周面に強く密接して粉末の侵入を複数段階にシールするように備えたことを特徴とする、回転軸の粉末シール片によって課題を解決したものである。【０００９】請求項２の考案は、前記綾織布は、織物の経糸・緯糸の「浮き・沈み」の「浮き」が綾線を形成し、前記綾線が生地の表裏両面若しくは片面に複数本平行した凸条として現れた綾織りの織物であって、綾線が生地の表裏両面に現れた両面斜文、生地の片面に現れた片面斜文を含むものであり、また、綾織りの種類は綾織りに属する織り方のものをすべて含むものであり、また、糸の材質は天然繊維、合成繊維を限定しないものであり、また、糸として同特性のものを用いて同特性の綾線を現したもの、若しくは、糸として異なる特性のものを用いて目的とする特性を備えた綾線を現したものを含むものであり、また、糸の太さを限定しないものである、請求項１の回転軸の粉末シール片によって課題を解決したものである。【００１０】請求項３の考案は、前記綾織布は、摩擦抵抗が極めて少なく、弾力性、耐久性に秀れた特性を有するポリテトラフルオロエチレン繊維の糸で織成したもの、若しくは、前記繊維の糸と他繊維の糸で織成したものが好適であり、その場合、綾線をポリテトラフルオロエチレン繊維の糸で現すようにしたものが好適であり、若しくは、ポリテトラフルオロエチレン繊維と多種繊維の合繊で織成したもの、が好適である、請求項１の綾織布を用いた回転軸の粉末シール片によって課題を解決したものである。【００１１】請求項４の考案は、前記粉末シール片は、前記綾織布をホルダーの一方面に接着したものであり、前記ホルダーは片状で発泡プラスチックその他の柔軟性、クッション性を備えたものであり、また、粉末シール片１と平面形状が一致するものであり、前記片状の形状及び寸法は、軸受部の内面の設置場所に見合った形状及び寸法であれば任意である、請求項１の回転軸の粉末シール片によって課題を解決したものである。
【考案の効果】
【００１２】本考案は、各種粉末のケース・容器・槽に備えた回転軸の軸受部の内面に固着し、回転する回転軸の周面に密接して粉末をシールするのに用いる片状の粉末シール片において、前記粉末シール片の回転軸の周面が接触する面を綾織りの綾織布で備えたものであり、前記綾織布の面に複数本平行した凸条として現れた綾線の方向を回転軸線に対し直角若しくは設定角度傾斜して備えたことを特徴とするものであるため、回転する回転軸の周面に綾織布面が密接して粉末の侵入をシールする共に、特に、前記綾織布面に複数本平行して現れた凸条状の綾線部分が回転軸の周面に一段と強く密接するため、凸条状の各綾線部分が防堤となって、各綾線部分毎に粉末の侵入をシールすることとなり、よって、複数段階にシールすることができる、極めて優れた作用効果がある。【００１３】前記の複数本平行した綾線の方向を回転軸線に対し直角に備えたものは、回転軸の周面に密接した前記凸条状の綾線部分が複数列・複数段階の粉体の防堤となって、各綾線部分毎に粉体の進入を阻止し、もって、粉末のもれ出しを複数段階にシールすることができる効果がある。【００１４】前記の平行綾線の方向を回転軸線に対し設定角度傾斜して備えたものは、前記直角に備えたものと同様の作用効果に加え、傾斜した平行綾線の相互間に進入した粉体を、密接回転する回転軸の回転力によって、傾斜線に沿って送り戻し搬送して、排除することができる優れた効果を発揮し得る。【００１５】また、前記粉末シール片の回転軸の周面が接触する綾織布の複数本平行した綾線の方向を、回転軸線に対し直角若しくは設定角度傾斜して備えたため、密接回転する回転軸の回転方向と、綾線の平行凸条の方向が一致（直角の場合は完全一致）若しくは略一致（設定角度傾斜の場合）するため、
回転軸の周面に対する綾布の接触の仕方が、従来の織布、フエルト等の場合の「面接触」状態と異なり、主として、平行綾線の各凸条との「線接触」状態になるため、回転軸の周面との回転摩擦を格段に小さくし得る。
特に、平行綾線の各凸条を摩擦抵抗が極めて小で耐久性に秀れたポリテトラフルオロエチレン繊維で備えた場合には、回転摩擦を格段に小にし得る画期的な効果がある。
よって、近時、緊急課題とされている回転軸の高速化・超高速化に対応可能な粉末シール片を提供することができる。【００１６】本考案は、綾織布の面に複数本平行して現れた凸条状の綾線部分を利用するものであるので、綾織布において回転軸の周面との接触面に凸条状の綾線が現れたものであれば、両面斜文、片面斜文のものなど、綾織りの種類に限定されない利点があり、
また、糸の材質は天然繊維、合成繊維を限定しない利点があり、また、糸として同特性のものを用いて同特性の綾線を現したもの、若しくは、糸として異なる特性のものを用いて目的とする特性を備えた綾線を現したものでも可か利点があり、また、糸の太さ  を限定しない利点がある。
なお、綾織布としては、従来から、サージ、ギャバジン、デニム、バーバリー、カルゼ、チノクロスなどがよく知られている。【００１７】従来、粉末シール片として、例えば、弾力性があって摩擦抵抗が極めて少なく、耐久性に秀れ、高密度に絡合した繊維が微粉末の侵入を有効に防御する作用を行う等の秀れた特性を兼備したポリテトラフルオロエチレン製のもの使用することか好適であるが、極めて高価なことが一番の課題であるとされてきたが、
本考案によれば、凸条状の綾線として現れる糸だけに前記ポリテトラフルオロエチレン糸を使用し、他の部分の糸として安価なものを使用した綾織布を提供して、格段にコストダウンした粉末シール片を提供することを可能にして、従来の課題を解決し得る極めて優れた効果が有る。
【図面の簡単な説明】
【００１８】
【図１】図１は、本考案の実施例粉末シール片（綾線の方向を回転軸線に対し直角に備えたもの）の正面図である。
【図２】図２は、図１のＡ−Ａ線矢視拡大断面図である。
【図３】図３は、本考案の実施例粉末シール片（綾線の方向を回転軸線に対し設定角度傾斜して備えたもの）の正面図である。
【図４】図４は、粉末シール片を軸受部に取付けた一部切断正面図である。
【図５】図５は、図４のＢ−Ｂ線断面図である。
【図６】図６は、標準的綾織布（経糸２本・緯糸２本）（両面斜文）（綾線は右上がり４５°に現れる）の、（イ）は参考イメージ図、（ロ）は参考組織図、（ハ）は綾線が平行して現れる説明図である。
【図７】図７は、綾織布地から粉末シール片（綾線の方向を回転軸線に対し直角に備えたもの）、及び、粉末シール片（綾線の方向を回転軸線に対し設定角度傾斜して備えたもの）を裁断する説明図である。
【図８】図８は、従来例粉末シール片の正面図、平面図及び右側面図である。
【考案を実施するための形態】
【００１９】各種粉末のケース・容器・槽に備えた回転軸の軸受部の内面に固着し、回転する回転軸の周面に密接して粉末をシールするのに用いる片状の粉末シール片において、その粉末をシールする性能を従来に比して格段に向上せんとする目的を、
本考案は、粉末シール片の回転軸の周面が接触する面を綾織りの綾織布で備え、前記綾織布の面に複数本平行した凸条として現れた綾線の方向を回転軸線に対し直角若しくは設定角度傾斜して備えて、回転する回転軸の周面に綾織布面が密接して粉末の侵入をシールする共に前記綾織布面に複数本平行して現れた凸条状の綾線部分が回転軸の周面に強く密接して粉末の侵入を複数段階にシールするように備えたことを特徴とする、回転軸の粉末シール片を開発することによって実現した。
【実施例１】
【００２０】図１は、本考案の実施例粉末シール片（綾線の方向を回転軸線に対し直角に備えたもの）の正面図、図２は、図１のＡ−Ａ線矢視拡大断面図、図３は、本考案の実施例粉末シール片（綾線の方向を回転軸線に対し設定角度傾斜して備えたもの）の正面図、図４は、粉末シール片を軸受部に取付けた一部切断正面図、図５は、図４のＢ−Ｂ線断面図、図６は、標準的綾織布（経糸２本・緯糸２本）（両面斜文）（綾線は右上がり４５°に現れる）の、（イ）は参考イメージ図、（ロ）は参考組織図、（ハ）は綾線が平行して現れる説明図、図７は、綾織布地から粉末シール片（綾線の方向を回転軸線に対し直角に備えたもの）、及び、粉末シール片（綾線の方向を回転軸線に対し設定角度傾斜して備えたもの）を裁断する説明図である。
符号、１は実施例粉末シール片、２は粉末、３はケース、４は回転軸、５は軸受部、６はホルダー、７は両面粘着テープ、８は剥離紙、９は綾線、１０は綾織布である。【００２１】粉末２のケース３に備えた回転軸４の軸受部５の内面に固着し、回転する回転軸４の周面に密接して粉末２をシールするのに用いる片状の粉末シール片１であり、
前記粉末シール片１は、軸受部５の内面の設置場所に見合った形状及び寸法（図１〜３示例、幅８ｍｍ、長さ４０ｍｍ、ホルダー厚２ｍｍ）の短冊片状で弾力性のある発泡プラスチック、ゴム、若しくはフェルト等からなるホルダー６の一方面に、綾織りの綾織布１０を、粉末２の侵入をシールするシール材として回転軸４の周面が接触する面を表面とすると共に前記綾織布１０の面に複数本平行した凸条として現れた綾線９の方向を回転軸線に対し直角（図１、２示例１ａ）若しくは設定角度傾斜（図３示例１ｂ）した状態で、容易に剥離しない状態に固着し、
ホルダー６の他方面に両面接着テープ７の片面（他方面に剥離紙８が接着してある）を固着して、前記４者１０、６、７、８を積層構成して設けたものであり、前記粉末シール片１（１ａ、１ｂ）の前記剥離紙８を剥離してケース３の回転軸４の軸受部５の内面に粘着して使用するものである。
なお、粉末シール片１（１ａ、１ｂ）及び（ホルダー６）の形状及び寸法は、軸受部５の内面の設置場所に見合った形状及び寸法であれば、任意である。【００２２】実施例の綾織布１０は、例えば、図６、図７に示すような、経糸２本、緯糸２本で織り、綾線９が生地の表裏両面に現れた両面斜文の標準的な綾織りの綾織布である。
また、実施例の綾織布１０は、ポリテトラフルオロエチレン繊維の糸と他繊維の糸で綾織りして、ポリテトラフルオロエチレン繊維の糸が綾線９を形成し、この複数本平行した凸条状の綾線部分９が回転軸４の周面に圧接するようにしたものである。
これによって、極めて高価なポリテトラフルオロエチレン糸の使用を抑えることができる一方、シール効果の方は全部ポリテトラフルオロエチレンを使用したものと同等の粉末シール片１が得られるものである。
【産業上の利用可能性】
【００２３】本考案は、各種粉末用のケース・容器・槽等に回転軸が備えられている場合に、その回転軸の軸受部に設置して、粉末が回転軸と軸受部の間に侵入してケース・容器・槽等の外部にもれ出すのを防止し、或は、回転軸と軸受部の間に侵入して回転を阻害するのを防止するために用いる片状の粉末シール片であり、前記粉末シール片の回転軸の周面が接触する面を綾織布で備えたことを特徴とするものであるので、
粉末の種類を選ばず、ケース・容器・槽等及びそれに備えられた回転軸の構造、形状等を選ばず、また、綾線を備えた綾織布であれば足りる、等の優れた特徴があり、従って、極めて広範囲に使用・利用・応用可能なものである。
【符号の説明】
【００２４】    １  実施
２  粉末
３  ケース
４  回転軸
５  軸受部
６  ホルダー
７  両面粘着テープ
８  剥離紙
９  綾線
１０  綾織布
以下、従来例
１０１  従来例粉末シール片
１０２  ホルダー
１０３  両面粘着テープ
１０４  剥離紙
１０５  密接面
【図１】
0003168494.tif 000003
【図２】
0003168494.tif 000004
【図３】
0003168494.tif 000005
【図４】
0003168494.tif 000006
【図５】
0003168494.tif 000007
【図６】
0003168494.tif 000008
【図７】
0003168494.tif 000009
【図８】
0003168494.tif 000010